(57)【要約】      （修正有）【課題】使用時又はロール材補充時の安全性の確保を図ったシート切断装置を提供する。【解決手段】シート切断装置１は、シートがロール状に巻かれたロール材Ｐを保持するロール材保持部４と、シートを切断する切断部を備え、ロール材Ｐが、ロール材保持部４によってその周囲の面が前方側に対向するように保持され、切断部が、ロール材Ｐの中心軸よりも後方側に設けられている。【選択図】図１
2016049184.tif 000002
【特許請求の範囲】
【請求項１】
シートがロール状に巻かれたロール材を保持するロール材保持部と、
前記シートを切断する切断部と、を備え、
前記ロール材が、前記ロール材保持部によってその周囲の面が前方側に対向するように保持され、
前記切断部が、前記ロール材の中心軸よりも後方側に設けられていることを特徴とするシート切断装置。
【請求項２】
前記ロール材保持部が、前記ロール材の中心軸を通って軸支する棒状に設けられ、
前記切断部が、前記ロール材保持部よりも後方側に設けられていることを特徴とする請求項１記載のシート切断装置。
【請求項３】
前記ロール材保持部は、その前記ロール材の前記周囲の面の一部を囲むような円弧状に設けられ、
前記切断部が、前記ロール材保持部よりも後方側に設けられていることを特徴とする請求項１記載のシート切断装置。
【請求項４】
前記切断部により切断されたシートを受容するトレイを備え、
前記トレイが、前記切断部よりも下方側において、当該トレイの後端部が前記切断部よりも後方側に位置するように設けられていることを特徴とする請求項１乃至請求項３のうち何れか一項記載のシート切断装置。
【請求項５】
前記トレイには、切断されたシートを取り出す為の切欠部が設けられ、
前記切欠部が、前記ロール材の中心軸よりも下方側で且つ前方側に形成されていることを特徴とする請求項４記載のシート切断装置。
【請求項６】
前記切断部を駆動する駆動部を備え、
前記駆動部が、前記切断部よりも後方側に設けられていることを特徴とする請求項１乃至請求項５のうち何れか一項記載のシート切断装置。
【請求項７】
前記切断部を支持する筐体を備え、
前記筐体には、前記切断部を制御するスイッチが設けられ、
前記スイッチが、前記ロール材の中心軸よりも前方側に設けられていることを特徴とする請求項１乃至請求項６のうち何れか一項記載のシート切断装置。
【請求項８】
前記スイッチが、前記ロール材の中心軸よりも上方側に設けられていることを特徴とする請求項７記載のシート切断装置。
【請求項９】
前記筐体には、前記ロール材保持部に前記ロール材を保持させる際に開閉される開閉蓋が設けられ、
前記開閉蓋が、前記ロール材の中心軸よりも上方側に設けられていることを特徴とする請求項７又は請求項８記載のシート切断装置。
【請求項１０】
前記スイッチが、前記開閉蓋に設けられていることを特徴とする請求項９記載のシート切断装置。
【請求項１１】
前記ロール材を前記切断部に向けて搬送する搬送部を備え、
前記スイッチが、外力が加わることでＯＮされ、解放された際にＯＦＦされるように構成され、
前記スイッチがＯＮされた状態で、前記ロール材が搬送部により連続的に引出され、
前記スイッチがＯＮからＯＦＦに切り替えられた際に、前記搬送部による前記ロール材の引出しが停止されて、前記切断部により前記シート材が切断されるように制御されていることを特徴とする請求項７乃至請求項１０のうち何れか一項記載のシート切断装置。
【発明の詳細な説明】
【技術分野】
【０００１】
本発明は、シート切断装置に関する。
【背景技術】
【０００２】
ロール状に巻かれたペーパロールからその先端部を引き出して切断するロール巻きペーパの引出切断装置が開示されている（例えば、特許文献１参照）。
【０００３】
この特許文献１に開示されたロール巻きペーパの引出切断装置は、内部にペーパロールを収容する収容部を有するとともに上方に開口を有するケースと、ケースの開口を覆うカバーと、引き出されたペーパロールを切断する刃部と、を備えて構成されている。収容部は、ケースにおいて、使用者から離れた側に設けられている。カバーは、ヒンジを介してケースに回動可能に連結されている。ヒンジは、使用者から離れた側の端部において、ケース及びカバーを連結するように設けられている。カバーのヒンジから離れた端部、即ち使用者側の端部には、刃部が設けられている。刃部は、カバーから下側、即ちケース側に突出するように取り付けられている。そして、カバーがケースに近付くように回動されることにより、刃部によりペーパロールが切断されるように構成されている。
【先行技術文献】
【特許文献】
【０００４】
【特許文献１】特開２０００−１８４９８６号公報
【発明の概要】
【発明が解決しようとする課題】
【０００５】
しかしながら、前述した特許文献１に記載されたロール巻きペーパの引出切断装置において、刃部の取付け位置が、収容部よりも使用者側に設けられている。このため、ペーパロールを交換乃至補充する（以下では、ペーパロールを交換乃至補充することを総称して「補充する」と記す）場合、カバーをケースから離れる方向に回動させなければならず、カバーに取り付けられた刃部がペーパロールを補充する補充者の手に当たってしまう。また、使用時においても、刃部が使用者に近接する側に設けられていると、使用者の手と刃部とが予期せぬ接触を起こす虞がある。
【０００６】
本発明は、このような問題点に対処することを課題の一例とするものである。本発明の目的は、使用時又はロール材補充時の安全性の確保を図ったシート切断装置を提供することにある。
【課題を解決するための手段】
【０００７】
前記課題を解決し目的を達成するために、請求項１に記載の本発明のシート切断装置は、  シートがロール状に巻かれたロール材を保持するロール材保持部と、
前記シートを切断する切断部と、を備え、
前記ロール材が、前記ロール材保持部によってその周囲の面が前方側に対向するように保持され、
前記切断部が、前記ロール材の中心軸よりも後方側に設けられていることを特徴としている。
【図面の簡単な説明】
【０００８】
【図１】本発明の第１実施例にかかるシート切断装置の斜視図である。
【図２】図１に示すシート切断装置とは反対側から見た斜視図である。
【図３】図１に示すシート切断装置の側面を示す平面図である。
【図４】図１に示すシート切断装置の搬送部を示す平面図である。
【図５】図４に示すシート切断装置の要部を拡大して示す図である。
【図６】図１に示すシート切断装置において、ロール材を補充する様子を示す斜視図である。
【図７】本発明の第２実施例にかかるシート切断装置の斜視図である。
【図８】本発明の第３実施例にかかるシート切断装置を示す平面図である。
【図９】本発明の第３実施例の変形例にかかるシート切断装置を示す平面図である。
【発明を実施するための形態】
【０００９】
以下、本発明の一実施形態を説明する。本発明の一実施の形態にかかるシート切断装置は、シートがロール状に巻かれたロール材を保持するロール材保持部と、シートを切断する切断部と、を備え、ロール材が、ロール材保持部によってその周囲の面が前方側に対向するように保持され、切断部が、ロール材の中心軸よりも後方側に設けられている。
【００１０】
これによれば、シートを切断する切断部が、ロール材の中心軸よりも後方側に設けられているから、使用時において、使用者の手と切断部との接触が抑制され、また、ロール材を補充する場合において、切断部がロール材を補充する補充者の手に接触することがなくなり、使用時又はロール材補充時の安全性の確保を図ったシート切断装置を提供することができる。
【００１１】
また、ロール材保持部が、ロール材の中心軸を通って当該ロール材を軸支する棒状に設けられ、切断部が、ロール材保持部よりも後方側に設けられていてもよい。これにより、ロール材を軸支する態様において、切断部がロール材を使用する使用者や、ロール材を補充する補充者の手に接触することを十分に抑制する。
【００１２】
また、ロール材保持部は、その前記ロール材の周囲の面の一部を囲むような円弧状に設けられ、切断部が、ロール材保持部よりも後方側に設けられていてもよい。これにより、ロール材を載置して保持する態様において、切断部がロール材を使用する使用者や、ロール材を補充する補充者の手に接触することを十分に抑制する。
【００１３】
また、切断部により切断されたシートを受容するトレイを備え、トレイが、切断部よりも下方側において、当該トレイの後端部が切断部よりも後方側に位置するように設けられていてもよい。これにより、切断されたシートがトレイにより受容される。
【００１４】
また、トレイには、切断されたシートを取り出す為の切欠部が設けられ、切欠部が、ロール材の中心軸よりも下方側で且つ前方側に形成されていてもよい。このような切欠部が形成されていることにより、使用者がトレイに受容されたシートをその紙面方向に直交する方向に摘まんで容易に取り出せる。
【００１５】
また、切断部を駆動する駆動部を備え、駆動部が、切断部よりも後方側に設けられていてもよい。これにより、後方側において、切断部がロール材を使用する使用者やロール材を補充する補充者の手に接触することも抑制される。
【００１６】
また、切断部を支持する筐体を備え、筐体には、切断部を制御するスイッチが設けられ、  スイッチが、ロール材の中心軸よりも前方側に設けられていてもよい。これにより、スイッチが、使用者に近接する位置に設けられていることとなり、使用者がスイッチを操作し易い。
【００１７】
また、スイッチが、ロール材の中心軸よりも上方側に設けられていてもよい。これにより、スイッチがロール材の中心軸よりも下方側に設けられているよりも、使用者がスイッチを操作し易い。
【００１８】
また、筐体には、ロール材保持部にロール材を補充させる際に開閉される開閉蓋が設けられ、開閉蓋が、ロール材の中心軸よりも上方側に設けられていてもよい。これにより、開閉蓋を開閉することにより、ロール材保持部の上方側が露出されることとなり、よって、当該ロール材保持部に保持されるロール材の補充が容易に行える。
【００１９】
また、スイッチが、開閉蓋に設けられていてもよい。これにより、より一層、使用者がスイッチを操作し易くなる。
【００２０】
また、ロール材を切断部に向けて搬送する搬送部を備え、スイッチが、外力が加わることでＯＮされ、解放された際にＯＦＦされるように構成され、スイッチがＯＮされた状態で、ロール材が搬送部により連続的に引出され、スイッチがＯＮからＯＦＦに切り替えられた際に、搬送部によるロール材の引出しが停止されて、切断部によりシート材が切断されるように制御されていてもよい。これによれば、使用者によって、スイッチに外力が加えられる一つの動作のみで、ロール材が所望の長さだけ引き出して切断される。また、使用者が、スイッチを押下する時間を調整すれば、ロール材を所望の長さ分だけ搬送部から引き出すことができる。
【実施例】
【００２１】
（第１実施例）
本発明の第１実施例にかかるシート切断装置について図１〜図６を参照して以下説明する。このシート切断装置１は、図１、図２に示すように、シートがロール状に巻かれて構成されたロール材としてのトイレットペーパーＰを所望の長さだけ引き出して切断する装置である。このシート切断装置１は、筐体２と、トイレットペーパーＰをその周面の面が前方側に対向するように保持するロール材保持部４を有しているとともに筐体２にスライド可能に設けられる被スライド部３と、トイレットペーパーＰを引き出しつつ搬送する搬送部６と、この搬送部６により引き出された部分（以下ではシートＰと記す場合がある。）を切断する切断部７（図４に示す）と、切断部７を駆動する図示しない駆動部と、を備えて構成されている。
【００２２】
シート切断装置１は、トイレの側壁（図示しない）において、使用者が便座に座った状態で、使用者の手が届く範囲に設置されるものである。このシート切断装置１には、搬送部６と切断部７とを制御する制御部としてのマイクロコンピュータ（図示しない）が搭載されている。このマイクロコンピュータが、使用者によるスイッチ１１のＯＮ、ＯＦＦに応じて、搬送部６と切断部７とを制御している。なお、図１、図２では、被スライド部３の一部（後述する一対の挟持板３０のうち一方）が省略されている。ここで、図１に示す矢印Ｙ、矢印Ｘ、矢印Ｚは、互いに直交する方向であり、矢印Ｙは鉛直方向を示し、矢印Ｘは矢印Ｙに直交する方向であり、矢印Ｚは、矢印Ｙと矢印Ｘとの双方向に直交する方向を示している。本明細書では、矢印Ｙを上下方向と記し、矢印Ｘを左右方向と記し、矢印Ｚを前後方向と記す場合がある。また、使用者は使用時において、図１の矢印Ｚ方向の紙面手前側に居るか、もしくはその方向を中心として矢印Ｙ方向あるいは矢印Ｘ方向にいくぶん移動した方向に居てこの装置を使用する。矢印Ｚ方向のうち、使用者に近接した側を「前方」と記し、使用者から離隔した側を「後方」と記す場合がある。
【００２３】
筐体２は、切断部７により切断されたシートＰを受容するトレイ２０と、ロール材保持部４の上方側を覆う上板２１と、鉛直方向Ｙに延在するとともにトイレを構成する側壁に沿って設けられてトレイ２０と上板２１とを連結する一対の柱部２２と、を備えて構成されている。
【００２４】
トレイ２０は、平面視が矩形状の底板２０Ａと、底板２０Ａの左右の両端から立設された一対の側板２０Ｂと、底板２０Ａの前後の両端から立設された前板２０Ｃ及び後板２０Ｄ（トレイの後端部）と、一対の側板２０Ｂそれぞれの上端部において、被スライド部３を前後にスライド可能に支持する第１レール８と、を備えている。
【００２５】
また、トレイ２０には、切断部７により切断されたシートＰを、使用者が上下に挟持することができるように形成された切欠形状部２５（切欠部）が設けられている。この切欠形状部２５は、前板２０Ｃ及び前方側傾斜板２４の左右方向の中央部に形成された矩形状の切欠き形状であり、前板２０Ｃ及び前方側傾斜板２４の前端を含んで切り欠いて形成されたものである。つまり、切欠形状部２５は、トイレットペーパーＰの軸芯（中心軸）よりも下方側でかつ前方側に形成されている。このような切欠形状部２５が形成されていることにより、使用者がトレイ２０に受容されたシートＰをその紙面方向に直交する方向に摘まんで取り出すことができる。
【００２６】
さらに、トレイ２０には、切断されたシートＰを取り出す際に使用者の手が挿入される挿入空間Ｓが設けられている。ここで、挿入空間Ｓとは、底板２０Ａと第１レール８との間に設けられているとともに、使用者から近接又は離隔する方向に開口した空間のことである。
【００２７】
底板２０Ａは、前後方向に連続された後方側傾斜板２３と、後方側傾斜板２３に連続された前方側傾斜板２４と、を備えて山型になるように形成されている。これらの後方側傾斜板２３及び前方側傾斜板２４は、それぞれが平板から構成されており、後方側傾斜板２３は、前方側傾斜板２４よりも後方側に設けられるとともに、前方に向かうに従って上方に向かうように傾斜して設けられ、前方側傾斜板２４は、前方に向かうに従って下方に向かうように傾斜して設けられている。また、後方側傾斜板２３と前方側傾斜板２４との境界が、切断部７よりも前方側に位置するように設けられ、切断されたシートＰは、後方側傾斜板２３の傾斜に沿ってトレイ２０の後方側にて着地されることとなる。
【００２８】
前板２０Ｃは、前方側傾斜板２４の前端から立設して設けられている。後板２０Ｄは、底板２０Ａの後端から立設して設けられている。後板２０Ｄは、切断部７よりも後方側に位置するように設けられている。
【００２９】
第１レール８は、前後に延在して設けられている。各第１レール８は、側板２０Ｂの内面から立設して設けられて被スライド部３を載置する載置板８Ａと、載置板８Ａの側板２０Ｂから離れた端部から上方に立設して設けられて側板２０Ｂと平行な第１平行板８Ｂと，を備えてＬ字状に形成されている。この第１レール８は、側板２０Ｂから第１平行板８Ｂまでの寸法が、被スライド部３において第１レール８に係止される第１進入部３３の左右方向の寸法よりも僅かに大きくなるように形成されていて、被スライド部３の第１進入部３３を係止した状態で、被スライド部３をスライド可能に支持している。
【００３０】
上板２１は、略水平方向に延在して配置されている。この上板２１は、平板状の上板本体２６と、上板本体２６の前端部に設けられて、被スライド部３を前後にスライド可能に支持する第２レール９と、上板本体２６の後端部に設けられて一対の柱部２２を支持する支持片２８と、上板本体２６に形成された矩形状の切欠部２７に対して開閉可能な開閉蓋２９と、備えて構成されている。
【００３１】
第２レール９は、上板本体２６の前端部において、その左右の両端から下方に向けて立設した立設板９Ａと、立設板９Ａに連続されるとともに上板本体２６と平行な第２平行板９Ｂと、を備えてＬ字状に形成されていて、被スライド部３の第２進入部３５を支持している。支持片２８は、第２レール９と同一のＬ字形状に形成されている。即ち、支持片２８は、その左右の両端から下方に向けて立設した立設板９Ａと、立設板９Ａに連続されるとともに上板本体２６と平行な第２平行板９Ｂと、を備えてＬ字状に形成されている。
【００３２】
切欠部２７は、上板本体２６の左右の中央部に形成された矩形状の切欠き形状であり、上板本体２６の前端を含んで切り欠いて形成されたものである。切欠部２７は、その左右の端部同士の寸法が、未使用のトイレットペーパーＰの軸寸法よりも大きくなるように形成され、切欠部２７がトイレットペーパーＰを挿通可能な大きさに形成されている。
【００３３】
このような第１、第２レール８、９により、第１レール８に第１進入部３３が進入され、第２レール９の第２進入部３５が進入された状態で、被スライド部３が前後方向にスライド可能に支持される。
【００３４】
一対の柱部２２は、左右方向に間隔をあけて設けられている。一対の柱部２２は、その上端部に、支持片２８の第２平行板９Ｂを進入させる凹部２２ａが形成されている。各柱部２２は、その下端部が、第１レール８の載置板８Ａ上において、側板２１Ｂと第１平行板８Ｂとの間に挿入され、その上端部においては、第２レール９の第２進入部３５が凹部２２ａに進入されて、トレイ２０と上板２１とを連結している。被スライド部３が最も後方側に位置した状態で、各柱部２２の前端面には挟持板３０の後端面が当接されている。
【００３５】
開閉蓋２９は、上板本体２６に形成された切欠部２７と略同一形状の板状に形成されていて、当該切欠部２７に嵌められた状態で、ヒンジ２９ａを介して上板本体２６に回動自在に連結されている。また、開閉蓋２９は、ロール材保持部４の上方側の開口と対向する位置に設けられているとともに、ロール材保持部４に保持されたトイレットペーパーＰの軸芯よりも上方側に設けられている。ヒンジ２９ａは、上板本体２６と開閉蓋２９とを跨いて固定されている。上板本体２６において切欠部２７は、上板本体２６の前端を切り欠いて形成されているとともに、上板本体２６の左右の両端から間隔をあけた位置に形成されている。このような開閉蓋２９を開閉することにより、ロール材保持部４の開口が露出されることとなり、よって、当該ロール材保持部４に保持されるトイレットペーパーＰの着脱（補充）を容易に行うことができる。
【００３６】
さらに、開閉蓋２９には、その左右の中央部における前方側に、搬送部６及び切断部７を制御するスイッチ１１が設けられている。スイッチ１１は、ロール材保持部４に保持されたトイレットペーパーＰの軸芯よりも上方側でかつ前方側に位置するように設けられている。このような位置にスイッチ１１が設けられることにより、使用者がスイッチ１１を操作し易い。さらに、スイッチ１１は、上下に突没自在になるように構成されている。このスイッチ１１は押下されて、即ち外力が加えられてＯＮされた状態で、トイレットペーパーＰが搬送部６により連続的に引き出され、スイッチ１１がＯＮ状態から解放されて初期状態に復元されたＯＦＦ状態で、搬送部６によるトイレットペーパーＰの引出しが停止されて、切断部７によりトイレットペーパーＰが切断されるように制御されている。これによれば、スイッチ１１に外力が加えられる使用者による一つの動作のみで、トイレットペーパーＰが所望の長さだけ引き出して切断される。また、使用者が、スイッチ１１を押下する時間を調整すれば、トイレットペーパーＰを所望の長さ分だけ搬送部６から引き出すことができる。
【００３７】
被スライド部３は、トイレットペーパーＰを保持するロール材保持部４と、ロール材保持部４を左右の両側から挟持する一対の挟持板３０と、を備えて構成されている。ロール材保持部４は、その左右方向の寸法が、当該ロール材保持部４により保持されたトイレットペーパーＰの軸芯寸法よりも大きくなるように形成され、未使用のトイレットペーパーＰを保持することが可能とするような曲率を有する、即ちトイレットペーパーＰの周囲の面の一部を囲むような円弧状（楕円弧でもよい）に形成された保持部本体４０と、保持部本体４０の前端部に設けられて、各挟持板３０に形成された係止受け部３４に係止する係止部４１と、保持部本体４０の後端部に設けられて、引き出されたシートＰを搬送部６にガイドするガイド部４２と、を備えている。
【００３８】
係止部４１は、ロール材保持部４の後方側の他の部分よりも左右方向の寸法が大きくなるように形成されているとともに、保持部本体４０から左右方向に突出形成されている。また、係止部４１は、その前方側の縁端が、ロール材保持部４に未使用のトイレットペーパーＰが保持された状態の軸芯よりも上方側に位置するように形成されている。このようなロール材保持部４は、搬送部６によりトイレットペーパーＰの先端部が引き出されるに伴って、トイレットペーパーＰが回転した際に、前方側に転がって、ロール材保持部４から脱落しないように保持している。
【００３９】
ガイド部４２は、図４、図５に示すように、保持部本体４０の後端部に連続されるとともに、上方に向かうに従って前方側に近付く方向に傾斜する第１延出部４３と、この第１延出部４３に連続されるとともに、上方に向かって延出形成される第２延出部４４と、を備えている。ガイド部４２は、その後方側の縁端、即ち第２延出部４４の後方側の縁端が、係止部４１の前方側の縁端よりもさらに上方側に位置するように形成されている。即ち、ガイド部４２は、その後方側の縁端が、ロール材保持部４に未使用のトイレットペーパーＰが保持された状態の軸芯よりも上方側に位置するように形成されている。なお、図４において係止部４１は省略されている。
【００４０】
各挟持板３０は、板状の板本体３１と、この板本体３１の内表面から突出して設けられてロール材保持部４に保持されたトイレットペーパーＰの外周を覆う環状部３２と、を備えて構成されている。板本体３１には、第１レール８に進入する第１進入部３３と、ロール材保持部４の係止部４１を係止させる切欠き形状の係止受け部３４と、第２レール９に進入する第２進入部３５と、第２レール９の第２平行板９Ｂが進入される凹溝部３６と、が設けられている。第１進入部３３は、板本体３１の一部であり、その下端部に設けられている。係止受け部３４は、板本体３１をその板厚方向（左右方向）に切り欠いて形成されたものであり、板本体３１の前端部において、上下の略中央部に設けられている。凹溝部３６は、板本体３１の上端部において、前後方向に延在形成されている。この凹溝部３６は、板本体３１の前端部を切り欠いて形成されているとともに、板本体３１の後端部よりも手前側まで形成されている。このような凹溝部３６は、板本体３１の後端部よりも手前側まで形成されていることにより、被スライド部３が前方側に引き出された際に、凹溝部３６に進入する第２平行板９Ｂがその後端に当接されることとなる。こうして、被スライド部３が筐体２から抜け落ちることが防止されている。
【００４１】
環状部３２は、ロール材保持部４とトイレットペーパーＰの外周との間に位置するように設けられて、トイレットペーパーＰが引き出される際に、トイレットペーパーＰの左右の移動を規制するために設けられている。
【００４２】
さらに、第２進入部３５の凹溝部３６と反対側の端部には、開閉蓋２９が切欠部２７に嵌められた状態で、開閉蓋２９が搭載される延在部３７が設けられている。この延在部３７は、第２進入部３５の凹溝部３６と反対側の端部から切欠部２７側に延在して設けられている。
【００４３】
搬送部６は、図３〜図５に示すように、図示しない駆動ギア機構と、この駆動ギア機構の駆動力により回転される第１ローラ６１と、この第１ローラ６１との間にトイレットペーパーＰを挟む第２ローラ６２と、第１ローラ６１及び第２ローラ６２の間から引き出されたシートＰの方向を規制するサブローラ６３と、を備えて構成されている。第１ローラ６１、第２ローラ６２及びサブローラ６３は、各軸芯が互いに平行に、左右方向に延在するように設けられている。第１ローラ６１及び第２ローラ６２は、各軸芯が前後に並ぶように設けられ、サブローラ６３は、その軸芯が第１ローラ６１の軸芯と上下に並ぶように設けられ、サブローラ６３が第１ローラ６１よりも下方側に位置するように設けられている。第１ローラ６１は、サブローラ６３よりも外径寸法が大きくなるように形成されている。また、第１ローラ６１及びサブローラ６３は被スライド部３に支持され、第２ローラ６２は筐体２に支持されている。このような第１ローラ６１及び第２ローラ６２の間にトイレットペーパーＰを挟む際には、被スライド部３を筐体２から前方側にスライドさせ、トイレットペーパーＰの先端部を第１ローラ６１と第２ローラ６２との間に挿入し、この状態で、第２ローラ６２を第１ローラ６１に近付けるように被スライド部３を筐体２に対して後方側にスライドさせる。こうして搬送部６は、第１ローラ６１及び第２ローラ６２の間に挟まれたトイレットペーパーＰを、切断部７に向けて引き出している。
【００４４】
ここで、搬送部６とロール材保持部４のガイド部４２との配置関係について、図４、図５を参照して説明する。搬送部６のサブローラ６３は、第１延出部４３の後方側に隣接する位置に配置され、第１ローラ６１とサブローラ６３との間には、第２延出部４４の上端部が位置するように配置されている。また、第２延出部４４は、トイレットペーパーＰが引き出される部分と、第１ローラ６１との間に設けられている。このようなガイド部４２は、トイレットペーパーＰが、第１ローラ６１、第２ローラ６２やサブローラ６３に絡まることを抑制するように、トイレットペーパーＰの経路を規制している。
【００４５】
切断部７は、図４、図５に示すように、刃部７１と、この刃部７１を左右にスライド可能に支持する支持部７２と、を備えて構成されている。刃部７１は、第１ローラ６１及びサブローラ６３よりも下方側において、これらローラ６１、６３の各軸芯と上下に並ぶ位置でトイレットペーパーＰを切断するように設けられている。このような切断部７は、スイッチ１１が押下され、当該スイッチ１１が押下された状態から押下される前の初期状態に戻った際に、駆動部が作動され、刃部７１がトイレットペーパーＰに近付くように前方側にスライドされて、トイレットペーパーＰを切断している。
【００４６】
駆動部は、切断部７よりも後方側に設けられている。これにより、使用者から離隔した後方側から前方に向けて、筐体２内に使用者や交換者の手が進入されたとしても、切断部７の刃部７１が使用者や交換者の手に接触することを抑制できる。
【００４７】
このようなシート切断装置１にトイレットペーパーＰをセットする際には、図６に示すように、開閉蓋２９を開けて、被スライド部３を前方側に引き出すことで第１ローラ６１と第２ローラ６２とを離隔させ、トイレットペーパーＰの引出し方向が反時計周りとなるようにロール材保持部４に設置して、トイレットペーパーＰの先端部を第１ローラ６１と、第２ローラ６２との間にトイレットペーパーＰの先端部を進入させる。この後、被スライド部３を後方側に押し戻し、被スライド部３の挟持板３０の後端面を、柱部２２の前端面に当接させて、第１ローラ６１と第２ローラ６２との間にトイレットペーパーＰの先端部を挟む。この後、開閉蓋２９を閉める。こうして、トイレットペーパーＰのシート切断装置１へのセットが完了する。なお、図６では、第２ローラ６２、サブローラ６３、切断部７の図示を省略する。
【００４８】
シート切断装置１は、シートＰを切断する切断部７が、トイレットペーパーＰの軸芯よりも使用者から離隔した後方側に設けられているから、例えば、トイレットペーパーＰを補充する場合において、切断部７がトイレットペーパーＰを補充する補充者の手に接触することがなくなり、平常時（使用時）における、使用者の手と切断部７との接触が抑制されることとなり、平常時、使用時又トイレットペーパー補充時の安全性の確保を図ることができる。
【００４９】
また、切断部７が、ロール材保持部４よりも後方側に設けられている。これにより、切断部７がトイレットペーパーＰを補充する補充者の手に接触することを十分に抑制することができる。
【００５０】
次に、マイクロコンピュータの制御について説明する。使用者により、スイッチ１１が押下される。この状態で、マイクロコンピュータが、搬送部６の駆動ギア機構を駆動して、第１ローラ６１を連続的に回転させる。すると、トイレットペーパーＰが、引出方向に連続的に引き出され、切断部７側に搬送される。この後、使用者がスイッチ１１を押下するのを停止すると、マイクロコンピュータにより、搬送部６の駆動ギア機構が停止され、切断部７の駆動部が作動され、刃部７１がトイレットペーパーＰに近付くようにスライドされて、トイレットペーパーＰが切断される。
【００５１】
次に、シート切断装置１の使用方法について説明する。シート切断装置１は、スイッチ１１が押下された状態において、トイレットペーパーＰが、引出し方向に連続的に搬送されている。換言すると、使用者は、トイレットペーパーＰを所望の長さ分だけ搬送部６から引き出されるように、スイッチ１１を押下する時間を調整すればよい。そして、使用者がスイッチ１１を押下するのを停止すると、スイッチ１１が初期状態に戻る。この後、刃部７１によりトイレットペーパーＰが切断される。切断されたシートＰは、トレイ２０に受容される。このようにしてシート切断装置１が使用される。
【００５２】
なお、本実施例においてロール材保持部４は、未使用のトイレットペーパーＰを保持することを可能とするような曲率を有する、即ちトイレットペーパーＰの周囲の面の一部を囲むような円弧状に形成されている。図４において、トイレットペーパーＰは、実線で示すように、ロール材保持部４に下方から側方に連続的に接触した状態で保持されている。トイレットペーパーＰのロール径が小さい場合は、一点鎖線で示すように、その下方側のみがロール保持部４に接触した状態で保持されている。但し、本発明はこれに限定されるものではない。ロール材保持部は、ロール材としてのトイレットペーパーＰの軸芯を貫通して（中心軸を通って）当該トイレットペーパーＰを軸支する棒状に形成されていてもよい。また、この棒状のロール保持部は、その一端が被スライド部３の挟持板３０に回動自在に連結されていてもよい。
【００５３】
また、本実施例のトレイ２０は、底板２０Ａと、底板２０Ａの左右の両端から立設された一対の側板２０Ｂと、底板２０Ａの前後の両端から立設された前板２０Ｃ及び後板２０Ｄと、を備えて構成されているが、本発明はこれに限定されるものではない。トレイ２０において、前板２０Ｃは必須の構成ではないので省略してもよい。前板２０Ｃが省略された場合において切欠形状部２５は、前方側傾斜板２４の前端を含んで切り欠いて形成されたものであってもよい。
【００５４】
また、本実施例においてスイッチ１１は、上下に突没自在になるように構成されているが、本発明はこれに限定されるものではない。スイッチ１１は、筐体２の側板２０Ｂに設けられていてもよく、この場合には、左右に突没自在になるように設置されていてもよい。さらに、スイッチは、センサ、即ち手を所定位置にかざすことによりＯＮ状態とされるものであってもよい。
【００５５】
また、本実施例においてシート切断装置１は、スイッチ１１が押下された状態において、トイレットペーパーＰが、引出し方向に連続的に搬送されている。換言すると、使用者は、トイレットペーパーＰを所望の長さ分だけ搬送部６から引き出されるように、スイッチ１１を押下する時間が調整されるが、本発明はこれに限定されるものではない。シート切断装置は、使用者が一度スイッチをＯＮすることで、トイレットペーパーＰが所定の長さ分だけ搬送部６から引き出されるように制御されていてもよい。
【００５６】
（第２実施例）
続いて、第２実施例に係るシート切断装置について、図７を参照して説明する。図７は、本発明の第２実施例にかかるシート切断装置１の斜視図である。なお、図７において、上述した実施例と同一構成乃至同一機能を有する部分には、同一符号を付して説明を省略する。第２実施例のシート切断装置１０と、第１実施例のシート切断装置１とは、スイッチの構成のみが異なる。なお、図７では、サブローラ６３、切断部７の図示を省略する。
【００５７】
第２実施例におけるシート切断装置１０のスイッチとしてのレバー１２は、被スライド部３の前端部に設けられているとともに、上下にスライド可能に設けられている。このレバー１２は、上下に延在する図示しないレールに支持されているとともに、図示しない押圧部材により、上方に向けて押圧されている。さらにレバー１２は、上下にスライドされることでＯＮ、ＯＦＦが制御されるように構成されている。レバー１２は、水平方向に延在するとともに一対の挟持板３０間に架け渡されるように左右に延在する水平板１２Ａと、この水平板１２Ａの後端部から立設する立設板１２Ｂと、を備えてＬ字状に形成されている。
【００５８】
レールは、トレイ２０の第１レール８よりも上方側の領域において、所定範囲だけ、レバー１２をスライド可能とするように構成されている。ここでいう所定範囲とは、被スライド部３の係止受け部３４から第１レール８までの範囲のことである。このようなレバー１２は、その移動範囲が、被スライド部３の係止受け部３４から第１レール８までの範囲内になるように構成されているので、レバー１２が、トレイ２０に受容されたトイレットペーパーＰを使用者が取り出す際の妨げになることがない。つまり、レバー１２により、第１レール８とトレイ２０の前板２０Ｃとの間の開口部を狭くすることがないから、トレイ２０に受容されたトイレットペーパーＰを使用者が取り出す際の妨げになることがなく、筐体２にスイッチとしてのレバー１２を搭載することができる。
【００５９】
このようなレバー１２が設けられ、レバー１２が押下されることによりスイッチがＯＮ状態とされるので、スイッチがＯＮ状態なのかＯＦＦ状態なのかを、使用者に明確に認識させることができる。さらに、レバー１２を押下することで、トイレットペーパーＰを所望した分だけトレイ２０に受容させ、トレイ２０に受容されたトイレットペーパーＰを、レバー１２を押下した手の位置よりも下側で取り出すことができるから、トイレットペーパーＰを引出して切断する操作と、トレイ２０に受容されたトイレットペーパーＰを取り出す操作を、一連の動作として行うことが出来る。
【００６０】
（第３実施例）
続いて、第３実施例に係るシート切断装置について、図８を参照して説明する。図８は、本発明の第３実施例にかかるシート切断装置を示す平面図である。なお、図８において、上述した実施例と同一構成乃至同一機能を有する部分には、同一符号を付して説明を省略する。また、図８では、被スライド部３の一対の挟持板３０のうち一方が省略されている。第３実施例のシート切断装置１００と、上記第１、第２実施例のシート切断装置１、１０とは、搬送部６及び切断部７の配置が異なる。
【００６１】
ここで、第１、第２実施例のシート切断装置１、１０は、搬送部６において、互いの間にトイレットペーパーＰの先端部を挟む第１ローラ６１及び第２ローラ６２の各軸芯が前後に並ぶ位置に設けられ、切断部７が、搬送部６、即ち各ローラ６１、６２、６３よりも下方側に位置するように配置されているが、第３実施例のシート切断装置１００においては、互いの間にトイレットペーパーＰの先端部を挟む第１ローラ６１及び第２ローラ６２の各軸芯が、上下に位置するように設けられている。この場合には、サブローラ６３は必須の構成ではないので省略してもよい。
【００６２】
さらに、切断部７は、一つの刃部７１から構成されていて、前後方向にスライド可能に支持されていたが、本実施例において切断部７０は、一対の刃部１７１から構成されて、これら一対の刃部１７１が互いに上下に接離可能に支持されている。
【００６３】
（第３実施例の変形例）
続いて、第３実施例の変形例に係るシート切断装置について、図９を参照して説明する。図９は、本発明の第３実施例の変形例にかかるシート切断装置を示す平面図である。なお、図９において、上述した実施例と同一構成乃至同一機能を有する部分には、同一符号を付して説明を省略する。また、図９では、被スライド部３の一対の挟持板３０のうち一方が省略されている。第３実施例の変形例のシート切断装置１００Ａと、上記第１、第２実施例のシート切断装置１、１０とは、搬送部６及び切断部７の配置が異なる。
【００６４】
第１、第２実施例のシート切断装置１、１０は、搬送部６及び切断部７が、ロール材保持部４上に保持されたトイレットペーパーＰの軸芯よりも上方側に設けられ、当該トイレットペーパーＰは、反時計回りに回転されつつ引出されるようにロール材保持部４に保持されているが、第３実施例の変形例のシート切断装置１００Ａにおいては、図９に示すように、搬送部６及び切断部７が、ロール材保持部４上に保持されたトイレットペーパーＰの軸芯よりも下方側に設けられ、当該トイレットペーパーＰは、時計回りに回転されつつ引出されるようにロール材保持部４に保持されている。また、ロール材保持部４に左右方向に延在するスリット１０４が形成されて、このスリット１０４内をトイレットペーパーＰが挿通されて、搬送部６までガイドされている。また、搬送部６及び切断部７が、トイレットペーパーＰの軸芯とトレイ２０との間に位置するように設けられている。このようなシート切断装置１００Ａは、図９に示すように、搬送部６及び切断部７が、トイレットペーパーＰの軸芯とトレイ２０との間に位置するように設けられているから、その前後寸法の小型化を図ることができる。
【００６５】
なお、本実施例では、ロール材としてトイレットペーパーＰを例示して説明しているが、これに限定されるものではない。ロール材としてペーパータオル、アルミホイルや食品包装用ラップを用いてもよく、ロール材としては、シートがロール状に巻かれて形成されたもの全般に用いることができる。
【００６６】
当業者は、従来公知の知見に従い、本発明の骨子を逸脱しない範囲で種々改変して実施することができる。かかる改変によってもなお本発明のシート切断装置の構成を具備する限り、勿論、本発明の範疇に含まれるものである。
【符号の説明】
【００６７】
１、１０、１００、１００Ａ    シート切断装置
２                  筐体
４                  ロール材保持部
６                  搬送部
７、７０            切断部
１１                スイッチ
１２                レバー（スイッチ）
２０                トレイ
２５                切欠形状部（切欠部）
２９                開閉蓋
Ｐ                  トイレットペーパー（ロール材）
【図１】
2016049184.tif 000003
【図２】
2016049184.tif 000004
【図３】
2016049184.tif 000005
【図４】
2016049184.tif 000006
【図５】
2016049184.tif 000007
【図６】
2016049184.tif 000008
【図７】
2016049184.tif 000009
【図８】
2016049184.tif 000010
【図９】
2016049184.tif 000011